(57)【特許請求の範囲】
【請求項１】
下階側外壁パネルと上階側外壁パネルとの間に形成される外壁横目地を二次シールするための外壁横目地の防水構造であって、
下階側外壁パネルの上端部に形成され、横目地長手方向に沿って延在する凹溝と、
アングル状に形成されると共に、上階側外壁パネルの下端部の屋内側に沿って配置された長尺状の支持部材と、
一端部が前記支持部材と前記上階側外壁パネルの下端部の屋内側の面との間に装着されると共に他端部が前記凹溝に係止される水切り材と、
を有し、
前記水切り材の少なくとも前記他端部を含む部分が前記横目地の屋外側から着脱可能とされている、
ことを特徴とする外壁横目地の防水構造。
【請求項２】
前記水切り材は、前記横目地の屋外側から挿入可能な板状部材で構成されていると共に、前記支持部材に案内されて形状を板厚方向に変化させることで前記支持部材と前記上階側外壁パネルの下端部の屋内側の面との間に挿入可能とされている、
ことを特徴とする請求項１記載の外壁横目地の防水構造。
【請求項３】
前記水切り材は、板厚方向へ湾曲変形可能とされている、
ことを特徴とする請求項１又は請求項２記載の外壁横目地の防水構造。
【請求項４】
前記支持部材は、前記上階側外壁パネルの下端部の下端面との間に隙間をあけて対向して配置された基部と、この基部の屋内側の端部から立ち上げられて前記上階側外壁パネルの下端部の屋内側の面に沿って配置される立ち上がり部と、前記基部と前記立ち上がり部とを繋ぎかつ前記上階側外壁パネルの下端部と対向する面が凹曲面で構成された繋ぎ部と、を含んで構成されており、
さらに、前記水切り材は、その一端部が前記繋ぎ部の凹曲面に案内されて湾曲変形することにより、前記支持部材の立ち上がり部と前記上階側外壁パネルの下端部の屋内側の面との間に立ち上げられながら装着されている、
ことを特徴とする請求項３記載の外壁横目地の防水構造。
【請求項５】
前記水切り材は、前記一端部を含む第１水切り材と、前記他端部を含む第２水切り材とに分割されており、
前記第１水切り材は、前記支持部材と前記上階側外壁パネルの下端部の屋内側の面との間に予め装着されていると共に、前記第２水切り材の挿入方向側の端部は前記第１水切り材に対して離脱可能に接続されている、
ことを特徴とする請求項１記載の外壁横目地の防水構造。
【請求項６】
前記水切り材の前記他端部は、自然状態では水切り材の中間部に対して略面直角下方へ屈曲されており、弾性変形することにより当該中間部側へ折り曲げ可能とされている、
ことを特徴とする請求項１〜請求項５のいずれか１項に記載の外壁横目地の防水構造。
【請求項７】
前記凹溝は、前記水切り材の前記他端部が弾性復帰する際に当該他端部と非接触となるように切欠形状とされている、
ことを特徴とする請求項１〜請求項６のいずれか１項に記載の外壁横目地の防水構造。
【請求項８】
前記水切り材の屋外側の端部には、水通し孔が形成された水通し材が一体化されている、
ことを特徴とする請求項１〜請求項７のいずれか１項に記載の外壁横目地の防水構造。
【請求項９】
前記横目地の屋外側は、湿式の防水シール材でシールされている、
ことを特徴とする請求項１〜請求項８のいずれか１項に記載の外壁横目地の防水構造。
【発明の詳細な説明】
【技術分野】
【０００１】
本発明は、外壁横目地の防水構造に関する。
【背景技術】
【０００２】
一般に、二次防水材に不具合が発生すると、補修工事が大掛かりとなる。具体的には、二次防水材が上下階の外壁間に挟まれる構造を採っているため、外壁補修を含んだ修繕工事となる。このため、前記のように補修工事が大掛かりになり、ユーザーの経済的負担が増加する。
【０００３】
また、従来、二次防水材のメンテナンスについては、殆ど考慮されていなかった。しかし、住宅のライフサイクルが長期化する傾向にあることを考慮すると、二次防水材についてのメンテナンスは非常に重要な課題となる。
【先行技術文献】
【特許文献】
【０００４】
【特許文献１】特許４２６０６４４号公報
【特許文献２】実開平０２−６０１０２号公報
【発明の概要】
【発明が解決しようとする課題】
【０００５】
本発明は上記事実を考慮し、漏水時の補修工事を軽微なものとすることができ、しかもメンテナンス性を向上させることができる外壁横目地の防水構造を得ることが目的である。
【課題を解決するための手段】
【０００６】
請求項１記載の本発明に係る外壁横目地の防水構造は、下階側外壁パネルと上階側外壁パネルとの間に形成される外壁横目地を二次シールするための外壁横目地の防水構造であって、下階側外壁パネルの上端部に形成され、横目地長手方向に沿って延在する凹溝と、アングル状に形成されると共に、上階側外壁パネルの下端部の屋内側に沿って配置された長尺状の支持部材と、一端部が前記支持部材と前記上階側外壁パネルの下端部の屋内側の面との間に装着されると共に他端部が前記凹溝に係止される水切り材と、を有し、前記水切り材の少なくとも前記他端部を含む部分が前記横目地の屋外側から着脱可能とされている。
【０００７】
請求項２記載の本発明に係る外壁横目地の防水構造は、請求項１記載の発明において、前記水切り材は、前記横目地の屋外側から挿入可能な板状部材で構成されていると共に、前記支持部材に案内されて形状を板厚方向に変化させることで前記支持部材と前記上階側外壁パネルの下端部の屋内側の面との間に挿入可能とされている、ことを特徴としている。
【０００８】
請求項３記載の本発明に係る外壁横目地の防水構造は、請求項１又は請求項２記載の発明において、前記水切り材は、板厚方向へ湾曲変形可能とされている、ことを特徴としている。
【０００９】
請求項４記載の本発明に係る外壁横目地の防水構造は、請求項３記載の発明において、前記支持部材は、前記上階側外壁パネルの下端部の下端面との間に隙間をあけて対向して配置された基部と、この基部の屋内側の端部から立ち上げられて前記上階側外壁パネルの下端部の屋内側の面に沿って配置される立ち上がり部と、前記基部と前記立ち上がり部とを繋ぎかつ前記上階側外壁パネルの下端部と対向する面が凹曲面で構成された繋ぎ部と、を含んで構成されており、さらに、前記水切り材は、その一端部が前記繋ぎ部の凹曲面に案内されて湾曲変形することにより、前記支持部材の立ち上がり部と前記上階側外壁パネルの下端部の屋内側の面との間に立ち上げられながら装着されている、ことを特徴としている。
【００１０】
請求項５記載の本発明に係る外壁横目地の防水構造は、請求項１記載の発明において、前記水切り材は、前記一端部を含む第１水切り材と、前記他端部を含む第２水切り材とに分割されており、前記第１水切り材は、前記支持部材と前記上階側外壁パネルの下端部の屋内側の面との間に予め装着されていると共に、前記第２水切り材の挿入方向側の端部は前記第１水切り材に対して離脱可能に接続されている、ことを特徴としている。
【００１１】
請求項６記載の本発明に係る外壁横目地の防水構造は、請求項１〜請求項５のいずれか１項に記載の発明において、前記水切り材の前記他端部は、自然状態では水切り材の中間部に対して略面直角下方へ屈曲されており、弾性変形することにより当該中間部側へ折り曲げ可能とされている、ことを特徴としている。
【００１２】
請求項７記載の本発明に係る外壁横目地の防水構造は、請求項１〜請求項６のいずれか１項に記載の発明において、前記凹溝は、前記水切り材の前記他端部が弾性復帰する際に当該他端部と非接触となるように切欠形状とされている、ことを特徴としている。
【００１３】
請求項８記載の本発明に係る外壁横目地の防水構造は、請求項１〜請求項７のいずれか１項に記載の発明において、前記水切り材の屋外側の端部には、水通し孔が形成された水通し材が一体化されている、ことを特徴としている。
【００１４】
請求項９記載の本発明に係る外壁横目地の防水構造は、請求項１〜請求項８のいずれか１項に記載の発明において、前記横目地の屋外側は、湿式の防水シール材でシールされている、ことを特徴としている。
【００１５】
請求項１記載の本発明によれば、上階側外壁パネルの下端部の屋内側には、アングル状に形成された長尺状の支持部材が配置されている。そして、この支持部材と上階側外壁パネルの下端部の屋内側の面との間に水切り材の一端部が装着されている。水切り材の他端部は、下階側外壁パネルの上端部に形成された凹溝に係止される。これにより、下階側外壁パネルと上階側外壁パネルとの間に形成された外壁横目地の二次シールがなされる。
【００１６】
ここで、本発明では、水切り材の少なくとも他端部を含む部分が横目地の屋外側から着脱可能とされているので、水切り材が経年劣化したり或いは地震力等の外力が作用することによって亀裂等が入った場合等に、当該水切り材の他端部を含む部分を横目地の屋外側から引抜いて新品の水切り材と交換することができる。また、メンテナンス時にも同様の手法によって、水抜き材の他端部を含む部分を引抜いて新品の水切り材と交換することができる。従って、従来のように上階側外壁パネルを外す等の大掛かりな作業は不要になると共に、メンテナンスも容易になる。
【００１７】
請求項２記載の本発明によれば、水切り材は板状部材で構成されており、横目地の屋外側から挿入すると、支持部材に案内されて形状を板厚方向へ変化させ、これにより支持部材と上階側外壁パネルの下端部の屋内側の面との間に挿入される。
【００１８】
請求項３記載の本発明によれば、水切り材自身が板厚方向へ湾曲変形可能とされているので、水切り材の変形を利用して横目地の二次シール位置に水切り材を装着することが可能になる。
【００１９】
請求項４記載の本発明によれば、支持部材が基部と立ち上がり部と繋ぎ部とを含んで構成されており、メンテナンス時等において水切り材を交換する際には、新しい水切り材はその一端部側から横目地内へ挿入される。そして、水切り材の一端部が支持部材の基部の上面に沿って挿入されると、当該水切り材の一端部は繋ぎ部に到達する。繋ぎ部における上階側外壁パネルの下端部と対向する面は凹曲面で構成されているため、水切り材の一端部は当該凹曲面上を摺動しながら支持部材の立ち上がり部と上階側外壁パネルの屋内側の面との間に立ち上げられていく。これにより、水切り材の一端部側が、支持部材の立ち上がり部と上階側外壁パネルの屋内側の面との間に装着される。
【００２０】
請求項５記載の本発明によれば、水切り材が一端部を含む第１水切り材と他端部を含む第２水切り材とに分割されている。第１水切り材は、支持部材と上階側外壁パネルの下端部の屋内側の面との間に予め装着される。そして、メンテナンス時等には、第２水切り材のみを第１水切り材から離脱させた後に、新しい第２水切り材を第１水切り材に装着させればよい。このように本発明によれば、必要最低限の部位のみを交換すればよい。
【００２１】
請求項６記載の本発明によれば、水切り材を横目地へ装着させる際には、他端部を弾性変形させながら中間部側へ折り曲げる。これにより、水切り材の他端部が下階側外壁パネルの上端部に引っ掛かって、水切り材を横目地内へ挿入することができないといった事態は生じなくなる。そして、水切り材の他端部が下階側外壁パネルの上端部に形成された凹溝に対応すると、当該他端部が弾性復帰する。これにより、当該他端部は中間部に対して略面直角方向へ屈曲した状態となり、凹溝に係合された状態となる。なお、このように他端部が凹溝に係合した後、メンテナンス時等に水切り材を取り替える際には、水切り材を引きちぎればよい。
【００２２】
請求項７記載の本発明によれば、凹溝が切欠形状とされているので、仕切り材の他端部が弾性復帰する際に当該他端部と凹溝を形成する壁とが接触しない。よって、水切り材の他端部が凹溝の周縁部に引っ掛かって凹溝になかなか係止されないといった不具合が生じ難い。
【００２３】
請求項８記載の本発明によれば、水切り材の屋外側の端部には水通し孔が形成された水通し材が一体化されているので、水切り材の装着と同時に水通し材も装着される。つまり、水通し材専用の組付作業が不要になる。
【００２４】
請求項９記載の本発明によれば、横目地の屋外側が湿式の防水シール材でシールされているので、この防水シール材が一次シールとなる。つまり、防水シール材と水切り材とで横目地を二重シールすることができる。
【発明の効果】
【００２５】
以上説明したように、請求項１記載の本発明に係る外壁横目地の防水構造は、漏水時の補修工事を軽微なものとすることができ、しかもメンテナンス性を向上させることができるという優れた効果を有する。
【００２６】
請求項２記載の本発明に係る外壁横目地の防水構造は、水切り材を横目地の屋外側から組付けるのに特別の追加部品が不要であり、コストの上昇を招かないという優れた効果を有する。
【００２７】
請求項３記載の本発明に係る外壁横目地の防水構造は、部品点数の増加を招くことなく、水切り材の横目地への装着を可能とすることができるという優れた効果を有する。
【００２８】
請求項４記載の本発明に係る外壁横目地の防水構造は、支持部材の繋ぎ部の形状を凹曲面で構成することにより、メンテナンス時等に水切り材を横目地の二次シール位置へ容易に組付けることができるという優れた効果を有する。
【００２９】
請求項５記載の本発明に係る外壁横目地の防水構造は、必要最低限の部位のみを交換すればよいので、ユーザーに対する経済的負担を軽減することができると共に、交換部品の保管スペースも少なくて済むという優れた効果を有する。
【００３０】
請求項６記載の本発明に係る外壁横目地の防水構造は、水切り材が組付後に二次シール位置から不用意にずれることを抑制又は防止することができるという優れた効果を有する
【００３１】
請求項７記載の本発明に係る外壁横目地の防水構造は、水切り材の他端部が折れ曲がったまま装着され、二次防水材としての機能が阻害されることを未然に防止することができるという優れた効果を有する。
【００３２】
請求項８記載の本発明に係る外壁横目地の防水構造は、施工時の作業性を向上させることができるという優れた効果を有する。
【００３３】
請求項９記載の本発明に係る外壁横目地の防水構造は、水切り材と一般にはコストがあまりかからない防水シール材とで横目地を二重シールするので、メンテナンス費用を削減することができ、ユーザーの経済的負担を軽減することができるという優れた効果を有する。
【図面の簡単な説明】
【００３４】
【図１】（Ａ）〜（Ｃ）は第１実施形態に係る外壁横目地の防水構造の要部を示しており、内水切り材を横目地に装着する際の作業工程を示す工程図である。
【図２】（Ａ）〜（Ｃ）は第１実施形態に係る外壁横目地の防水構造の要部を示しており、（Ａ）は漏水が起こる現象を説明するための説明図であり、（Ｂ）及び（Ｃ）は内水切り材を横目地から取り外す際の作業工程を示す工程図である。
【図３】上階側外壁パネル及び下階側外壁パネルに使用される押出し成形セメント板（ＥＣＰ）を示す斜視図である。
【図４】図３に示される押出し成形セメント板（ＥＣＰ）を用いて構築された建物を示す全体斜視図である。
【図５】（Ａ）及び（Ｂ）は従来例に係る外壁横目地の防水構造の要部を示しており、（Ａ）は組付状態の縦断面図であり、（Ｂ）は内水切り材を取外す補修工事をする際の様子を示す工程図である。
【図６】（Ａ）〜（Ｃ）は第２実施形態に係る外壁横目地の防水構造の要部を示しており、内水切り材を横目地に装着する際の作業工程を示す工程図である。
【図７】（Ａ）は第３実施形態に係る外壁横目地の防水構造で用いる内水きり材の平面図であり、（Ｂ）はその縦断面図である。
【発明を実施するための形態】
【００３５】
〔第１実施形態〕
以下、図１〜図５を用いて、本発明に係る外壁横目地の防水構造の第１実施形態について説明する。
【００３６】
図４に示されるように、住宅等の建物１０は、地階部分１２と、一階部分１４と、二階部分１６と、を含んで構成されている。地階部分１２の外周部には、地下二重壁１８が立設されている。また、一階部分１４の外周部には、下階側外壁パネル２０が立設されている。さらに、二階部分１６の外周部には、上階側外壁パネル２２が立設されている。上階側外壁パネル２２は、下階側外壁パネル２０に対して上下に隣接して同一平面上に配設されている。
【００３７】
図３に示されるように、上述した下階側外壁パネル２０及び上階側外壁パネル２２は、押出し成形セメント板（ＥＣＰ）２４で構成されている。押出し成形セメント板２４は、屋外側に配置されて意匠面を形成する外壁部２６と、この外壁部２６に対して平行に配置された内壁部２８と、外壁部２６と内壁部２８とを所定のピッチで垂直に繋ぐ複数の連結部３０と、によって構成されている。上記構成により、押出し成形セメント板２４は、その内部に所定のピッチで複数本の空洞部３２が形成されている。空洞部３２は、建物高さ方向に沿って延在されており、上階側外壁パネル２２の空洞部３２と下階側外壁パネル２０の空洞部３２とが建物高さ方向に連続するように配置されている。
【００３８】
上述した下階側外壁パネル２０と上階側外壁パネル２２とが左右に隣接する部位には縦目地３４が形成され、上下に隣接する部位には横目地３６が形成されている。以下、横目地３６の防水構造（二重シール構造）について詳細に説明する。
【００３９】
図１（Ｃ）に示されるように、横目地３６の屋外側には一次シール部３８が設けられており、又横目地３６の屋内側には二次シール部４０が設けられている。なお、図３では、押出し成形セメント板２４の概略構造を示すことを目的としているので、二次シール部４０も一次シール部３８と同様に図示している。一次シール部３８は、湿式シール材であるシーリング材４２と、その奥側に配置された水通し材４４と、によって構成されている。水通し材４４はバックアップ材であり、水通し材４４には建物高さ方向に貫通する図示しない複数の孔部が形成されている。
【００４０】
一方、上階側外壁パネル２２の下端部２２Ａの屋内側の角部には、アングル状の長尺部材で構成された支持部材としての通しアングル４６が配設されている。通しアングル４６は、内壁部２８の下側に水平に配置された基部４６Ａと、内壁部２８の屋内側の垂直面に対して平行に配置された立ち上がり部４６Ｂと、基部４６Ａと立ち上がり部４６Ｂとを繋ぐ円弧面形状の繋ぎ部４６Ｃと、によって構成されている。このうち、繋ぎ部４６Ｃの内周側は、所定曲率半径の凹曲面である円弧面４８で構成されている。また、通しアングル４６と上階側外壁パネル２２との間には、所定の隙間５０が形成されている。なお、通しアングル４６は、その下縁側に適宜間隔で複数個所に設定された図示しない固定金具（例えば、Ｚ状のクリップ等）を用いて差込み固定されている。さらに、通しアングル４６の上端部の屋外側の面と上階側外壁パネル２２の下端部２２Ａの屋内側の面との間には、長尺状の止水材５２が配設されており、両面間をシールしている。なお、止水材５２は、通しアングル４６を取り付ける際に、通しアングル４６側に取り付けておけばよい。
【００４１】
上階側外壁パネル２２の下端部２２Ａと上述した通しアングル４６との隙間５０には、内水切り材５４が装着されている。図１（Ａ）、（Ｃ）から判るように、内水切り材５４は薄い帯状の板材で構成されており、一端部５４Ａと他端部５４Ｂと中間部５４Ｃとから成る。一端部５４Ａは中間部５４Ｃからそのまま延設された部分とされ、この一端部５４Ａが横目地３６内へ装着するときに挿入方向側の端部となる。また、他端部５４Ｂは中間部５４Ｃに対して直角に折り曲げられた部分とされている。さらに、他端部５４Ｂは、作業者が当該他端部５４Ｂを指で中間部５４Ｃに接近する方向へ押圧すると、自身の弾性力に抗してＶ字状に折れ曲がるようになっている。  
【００４２】
また、下階側外壁パネル２０の上端部２０Ａの屋内側、即ち下階側外壁パネル２０を構成する方の押出し成形セメント板２４の複数の繋ぎ部３０には、内水切り材５４の他端部５４Ｂの形状に対応して、上階側に開放された切欠形状の凹溝５６が形成されている。凹溝５６は、横目地３６の長手方向に沿って延在されている。但し、「長手方向に沿って延在」といっても、連続して延在するのではなく、繋ぎ部３０ごとに延在されているという意味である。上記凹溝５６の溝幅Ｂは、内水切り材５４が横目地３６内へ装着された状態において、弾性復元力によって復元した他端部５４Ｂの位置を基準として、当該他端部５４Ｂの先端が弾性復元時に接触しない幅に設定されている。
【００４３】
（作用・効果）
次に、本実施形態の作用並びに効果について説明する。
図２（Ａ）に示されるように、上階側外壁パネル２２は押出し成形セメント板２４で構成されているため、水の抜き道となる空洞部３２がゴミや埃、害虫等によって塞がれると、空洞部３２に水５８が溜まることがある。
【００４４】
この場合、上階側外壁パネル２２の空洞部３２に溜まった水５８の水位が、通しアングル４６の上端位置である防水ラインＰを越えると、屋内側へオーバーフローする。なお、オーバーフローした水を符号「６０」で示す。また、内水切り材５４が経年劣化等により破損することも考えられる。内水切り材５４が破損すると、そこから屋内側へ漏水する。なお、内水切り材５４の破損により漏水した水を符合「６２」で示す。
【００４５】
このような不具合が生じた場合や定期的なメンテナンス時等に、以下の要領で、内水切り材５４の交換作業が行われる。まず、図２（Ｂ）に示されるように、横目地３６の屋外側の一次シール部３８が切り取られる。次いで、内水切り材５４が他端部５４Ｂ側から引っ張られ、図２（Ｃ）に示されるように内水切り材５４がそのまま横目地３６から引き抜かれる。
【００４６】
上記の要領で内水切り材５４を横目地３６から抜き取ったら、図１に示される要領で新しい内水切り材５４が装着される。具体的には、まず、図１（Ａ）に示されるように、内水切り材５４の一端部５４Ａを横目地３６の内部へ挿入した後、通しアングル４６の基部４６Ａと上階側外壁パネル２２の下端部２２Ａとの隙間５０へ臨ませる。次いで、内水切り材５４の他端部５４Ｂを中間部５４Ｃ側へ折り曲げて、横目地３６に挿入可能な状態とする。次に、図１（Ｂ）に示されるように、通しアングル４６の基部４６Ａに沿って内水切り材５４を押し込んでいく。そして、通しアングル４６の繋ぎ部４６Ｃの円弧面４８に沿って内水切り材５４の一端部５４Ａ側を湾曲させていき、前述した防水ラインＰまで立ち上がらせる。図１（Ｃ）に示されるように、内水切り材５４の一端部５４Ａ側を防水ラインＰ（正確には、止水材５２の下面）まで立ち上がらせると、内水切り材５４の他端部５４Ｂが下階側外壁パネル２０の上端部２０Ａの凹溝５６に対応する。このため、他端部５４Ｂは元の状態に弾性復元力によって復帰する。他端部５４Ｂが復帰すると、凹溝５６の側面に係止された状態となるので、内水切り材５４が不用意に外れることがなくなる。これにより、下階側外壁パネル２０と上階側外壁パネル２２との間に形成された横目地３６の二次シール部４０の施工が完了する。その後、横目地３６の屋外側に一次シール部３８の施工を実施すると、横目地３６の二重シールが完了する。
【００４７】
このように本実施形態に係る外壁横目地の防水構造では、内水切り材５４が横目地３６の屋外側から着脱可能とされているので、内水切り材５４が経年劣化したり或いは地震力等の外力が作用することによって亀裂等が入った場合等に、当該内水切り材５４を横目地３６の屋外側から引抜いて新品の内水切り材５４と交換することができる。また、メンテナンス時にも同様の手法によって、内水切り材５４を引抜いて新品の内水切り材５４と交換することができる。
【００４８】
これに対し、従来では内水きり材を交換する必要が生じた場合、以下のように対処していた。図５（Ａ）には、従来の内水切り材７０の納まりを示した縦断面図が示されている。この図に示されるように、従来の内水切り材７０は、形状こそ本実施形態の内水切り材５４と同様であり、一端部７０Ａと他端部７０Ｂと中間部７０Ｃとを備えているが、この内水切り材７０はそもそも弾性変形するような材質及び構造にはなっていない。なお、止水テープ７２は内水切り材７０の一端部７０Ａ側に予め固着されている。また、従来では、下階側外壁パネル７４の上端部７４Ａにはスリット７６が形成されている。その結果、漏水箇所が生じると、図５（Ｂ）に示されるように、まず、上階側外壁パネル２２を取外し、次いで内水切り材７０及び通しアングル４６を取外すことになる。そのため、従来では、大掛かりな作業が必要になり、ユーザーの経済的負担も大きかった。
【００４９】
しかし、本実施形態によれば、上記のように上階側外壁パネル２２を取外す等の大掛かりな作業は不要になると共に、メンテナンスも容易になる。その結果、本実施形態によれば、漏水時の補修工事を軽微なものとすることができ、しかもメンテナンス性を向上させることができる。
【００５０】
また、本実施形態で用いる内水切り材５４は薄い板状部材で構成されており、横目地３６の屋外側からこの内水切り材５４を挿入すると、通しアングル４６に案内されて湾曲変形し、これにより通しアングル４６と上階側外壁パネル２２の下端部２２Ａの屋内側との隙間５０に装着されるようになっている。このため、内水切り材５４を横目地３６の屋外側から組付けるための特別の追加部品が不要であり、コストの上昇を招かない。
【００５１】
さらに、内水切り材５４はその板厚方向へ湾曲変形可能とされているので、内水切り材５４の変形を利用して横目地３６の二次シール位置に内水切り材５４を装着することが可能になる。その結果、部品点数の増加を招くことなく、内水切り材５４の横目地３６への装着を可能とすることができる。
【００５２】
また、本実施形態では、通しアングル４６の基部４６Ａと立ち上がり部４６Ｂとを繋ぐ繋ぎ部４６Ｃにおける上階側外壁パネル２２の下端部２２Ａと対向する面が円弧面４８で構成されているため、内水切り材５４の一端部５４Ａに円弧面４８上をなぞらせることにより、当該一端部５４Ａ側を立ち上げることができる。従って、メンテナンス時等に内水切り材５４を横目地３６の二次シール位置へ容易に組付けることができる。
【００５３】
さらに、本実施形態では、内水切り材５４を横目地３６へ装着させる際には、他端部５４Ｂを弾性変形させながら中間部５４Ｃ側へ折り曲げる。これにより、内水切り材５４の他端部５４Ｂが下階側外壁パネル２０の上端部２０Ａの凹溝５６に引っ掛かって、内水切り材５４を横目地３６内へ挿入することができないといった事態は生じなくなる。そして、内水切り材５４の他端部５４Ｂが下階側外壁パネル２０の上端部２０Ａに形成された凹溝５６に対応すると、当該他端部５４Ｂが弾性復帰する。これにより、当該他端部５４Ｂは中間部５４Ｃに対して略面直角方向へ屈曲した状態となり、凹溝５６に係合された状態となる。よって、本実施形態によれば、内水切り材５４が組付後に二次シール位置から不用意にずれることを抑制又は防止することができる。
【００５４】
また、本実施形態では、凹溝５６がスリット形状ではなく、切欠形状とされているので、内水切り材５４の他端部５４Ｂが弾性復帰する際に当該他端部５４Ｂと凹溝５６を形成する側壁とが接触しない。よって、内水切り材５４の他端部５４Ｂが凹溝５６の周縁部に引っ掛かって凹溝５６になかなか係止されないといった不具合が生じ難い。その結果、内水切り材５４の他端部５４Ｂが折れ曲がったまま装着され、二次防水材としての機能が阻害されることを未然に防止することができる。
【００５５】
さらに、本実施形態では、横目地３６の屋外側が、（一般にコストが低い）湿式のシーリング材４２でシールされているので、このシーリング材４２が一次シールとなる。つまり、シーリング材４２と内水切り材５４とで横目地３６を二重シールすることができる。よって、メンテナンス費用を削減することができ、ユーザーの経済的負担を軽減することができる。
【００５６】
〔第２実施形態〕
以下、図６を用いて、本発明に係る外壁横目地の防水構造の第２実施形態について説明する。なお、前述した第１実施形態と同一構成部分については、同一番号を付してその説明を省略する。
【００５７】
図６（Ａ）〜（Ｃ）に示されるように、この第２実施形態に係る外壁横目地の防水構造では、内水切り材８０が、複数の要素、即ち第１水切り材８２と第２水切り材８４とに分割されている点に特徴がある。詳細には、第１水切り材８２は、第１実施形態で説明した一端部５４Ａを含む立ち上がり部４６Ｂに相当する部分として構成されている。また、第２水切り材８４は、第１実施形態で説明した他端部５４Ｂを含む基部４６Ａに相当する部分として構成されている。第１水切り材８２は後述するように基本的には交換しない部材であるので、金属製とされている。但し、樹脂製でもよい。また、第２水切り材８４は後述するように交換することを前提としているため、樹脂製のものが使用されているが、金属製でもよい。
【００５８】
第１水切り材８２の上端部８２Ａの屋外側の面には、止水材５２と同様構成の第１止水材８６が予め固着されている。また、第１水切り材８２の下端部８２Ｂの屋外側の面には、第２止水材８８が予め固着されている。この第２止水材８８の横目地３６と対向する側部には、横目地３６に臨むようにＶ字状の係合部９０が形成されている。上記構成の第１水切り材８２は、上階側外壁パネル２２の下端部２２Ａに通しアングル９２と共に予め組付けられている。なお、この第２実施形態で用いられる通しアングル９２は、内水切り材８０が第１水切り材８２と第２水切り材８４とに分かれているので、第１実施形態で用いた通しアングル４６とは異なり、円弧面４８は形成されていない。
【００５９】
一方、第２水切り材８４の屋外側の端部には、前述したように第１実施形態で説明した他端部５４Ｂに相当する折り曲げ部８４Ａが一体に形成されている。また、第２水切り材８４の屋内側の端部８４Ｂは、第１水切り材８２の下端部８２Ｂに取付けられた第２止水材８８の係合部９０に離脱可能に係合（接続）されている。
【００６０】
（作用・効果）
上記構成によれば、メンテナンス時等には、図６（Ａ）に示されるように、第２水切り材８４のみを第１水切り材８２の係合部９０から離脱させた後に、新しい第２水切り材８４を第１水切り材８２の第２止水材８８の係合部９０に係合（接続）させればよい。このように本実施形態によれば、必要最低限の部位のみを交換すればよい。このため、ユーザーに対する経済的負担を軽減することができると共に、前述した第１実施形態の内水切り材５４を保管する場合に比べて、交換部品の保管スペースも少なくて済む。
【００６１】
〔第３実施形態〕
以下、図７を用いて、本発明に係る外壁横目地の防水構造の第３実施形態について説明する。なお、前述した第１実施形態等と同一構成部分については、同一番号を付してその説明を省略する。
【００６２】
図７（Ａ）、（Ｂ）に示されるように、この第３実施形態に係る外壁横目地の防水構造では、内水切り材９４が、第１実施形態で説明した内水切り材５４と水通し材４４とを一体化させることにより構成されている点に特徴がある。具体的には、内水切り材５４の他端部５４Ｂの上部の屋外側の面に、複数の水通し孔９６が形成された水通し材４４が予め接着剤等によって固着されている。なお、水通し材４４の屋外側の面に一次シール用の定型ガスケットを更に一体化させて、三者一体構造にしてもよい。
【００６３】
（作用・効果）
上記構成によれば、内水切り材９４の屋外側の端部には水通し孔９６が形成された水通し材４４が一体化されているので、内水切り材９４の横目地３６への装着と同時に水通し材４４も装着される。つまり、水通し材専用の組付作業が不要になる。その結果、本実施形態によれば、施工時の作業性を向上させることができる。
【符号の説明】
【００６４】
２０      下階側外壁パネル
２０Ａ    上端部
２２      上階側外壁パネル
２２Ａ    下端部
３６      横目地
４２      シーリング材（防水シール材）
４４      水通し材
４６      通しアングル（支持部材）
４６Ａ    基部
４６Ｂ    立ち上がり部
４６Ｃ    繋ぎ部
４８      円弧面（凹曲面）
５０      隙間
５４      内水切り材（水切り材）
５４Ａ    一端部
５４Ｂ    他端部
５６      凹溝
８０      内水切り材（水切り材）
８２      第１水切り材
８４      第２水切り材
８４Ｂ    屋内側の端部（挿入方向側の端部）
９２      通しアングル（支持部材）
９４      内水切り材（水切り材）
９６      水通し孔
【図１】
0005486479.tif 000002
【図２】
0005486479.tif 000003
【図３】
0005486479.tif 000004
【図４】
0005486479.tif 000005
【図５】
0005486479.tif 000006
【図６】
0005486479.tif 000007
【図７】
0005486479.tif 000008